(57)【要約】【課題】省スペース化を実現する筐体構造を提供する。【解決手段】筐体構造１００は、一対の側板１２と、背板１３と、天板１４と、底板２１と、を備え、開口面を有するケース本体２０と、ケース本体２０の開口面側に設けられた上部プレート５と下部プレート６と、を備える。側板１２に水平ガイド溝１６と、垂直ガイド溝１７と、孔２２とが設けられる。上部プレート５の断面形状はＵ字形状であり、上部プレート５の側面の上部にスライドピン８ａが設けられ、下部プレート６の断面形状はＵ字形状であり、下部プレート６の側面の上部にスライドピン８ｂが設けられ、下部プレート６の側面の下部にストッパー７ｂが設けられ、スライドピン８ａと水平ガイド溝１６とがスライド可能なように緩嵌され、スライドピン８ｂと垂直ガイド溝１７とがスライド可能なように緩嵌され、ストッパー７ｂは孔２２に挿脱可能である。【選択図】図２
2012243834.tif 000002
【特許請求の範囲】
【請求項１】
一対の側板と、背板と、天板と、底板と、を備え、開口面を有するケース本体と、
前記ケース本体の開口面側に設けられた上部プレートと下部プレートと、
を備え、
一対の前記側板の主面側上部に、前記開口面近傍から奥行き方向へと延びる平行一対の水平ガイド溝が設けられ、
一対の前記側板の主面側に、前記側板の高さ方向の略中間部から鉛直下向きへ延びる平行一対の垂直ガイド溝が設けられ、
一対の前記側板の主面側下部に第１の孔が設けられ、
前記上部プレートの断面形状はＵ字であり、前記上部プレートの一対の側面の上部に第１のスライドピンが設けられ、
前記下部プレートの断面形状はＵ字であり、前記下部プレートの一対の側面の上部に第２のスライドピンが設けられ、前記下部プレートの前記一対の側面の下部に第１のストッパーが設けられ、
前記第１のスライドピンと前記水平ガイド溝とがスライド可能なように緩嵌され、  
前記第２のスライドピンと前記垂直ガイド溝とがスライド可能なように緩嵌され、
前記第１のストッパーは前記第１の孔に挿脱可能である、
ことを特徴とする筐体構造。
【請求項２】
一対の前記側板の主面側の略中間部に第２の孔がさらに設けられ、
前記上部プレートの前記一対の側面の下部に第２のストッパーがさらに設けられ、
前記第２のストッパーが前記第２の孔に挿脱可能であり、
前記第２のストッパーが前記水平ガイド溝に挿脱可能である、
ことを特徴とする請求項１に記載の筐体構造。
【請求項３】
屋外通信機器を格納することを特徴とする請求項１または２に記載の筐体構造。
【発明の詳細な説明】
【技術分野】
【０００１】
本発明は筐体構造に関する。
【背景技術】
【０００２】
屋外通信機器には、日射や降雨などの屋外環境からの保護や、部外者による機器への接触を防止する等の観点からカバーを取付けることがある（特許文献１参照）。
【先行技術文献】
【特許文献】
【０００３】
【特許文献１】特開平７−３０７５８２号公報
【発明の概要】
【発明が解決しようとする課題】
【０００４】
しかしながら、機器のメンテナンス時にはカバーの扉を開けるため、カバーを設置するスペースに加えて、カバーの扉の可動範囲となるスペースが必要となることがあった。
【０００５】
本発明は、上記事情に鑑みなされたものであって、省スペース化を実現する筐体構造を提供することを目的とする。
【課題を解決するための手段】
【０００６】
上記目的を達成するため、本発明の筐体構造は、
一対の側板と、背板と、天板と、底板と、を備え、開口面を有するケース本体と、
前記ケース本体の開口面側に設けられた上部プレートと下部プレートと、
を備え、
一対の前記側板の主面側上部に、前記開口面近傍から奥行き方向へと延びる平行一対の水平ガイド溝が設けられ、
一対の前記側板の主面側に、前記側板の高さ方向の略中間部から鉛直下向きへ延びる平行一対の垂直ガイド溝が設けられ、
一対の前記側板の主面側下部に第１の孔が設けられ、
前記上部プレートの断面形状はＵ字であり、前記上部プレートの一対の側面の上部に第１のスライドピンが設けられ、
前記下部プレートの断面形状はＵ字であり、前記下部プレートの一対の側面の上部に第２のスライドピンが設けられ、前記下部プレートの前記一対の側面の下部に第１のストッパーが設けられ、
前記第１のスライドピンと前記水平ガイド溝とがスライド可能なように緩嵌され、  
前記第２のスライドピンと前記垂直ガイド溝とがスライド可能なように緩嵌され、
前記第１のストッパーは前記第１の孔に挿脱可能である、
ことを特徴とする。
【発明の効果】
【０００７】
本発明によれば、省スペース化を実現する筐体構造を提供することができる。
【図面の簡単な説明】
【０００８】
【図１】本実施形態に係る筐体構造を示す斜視模式図である。
【図２】本実施形態に係る筐体構造を示す斜視模式図である。
【図３】本実施形態に係る筐体構造の分解構造を示す斜視模式図である。
【図４】（ａ）は本実施形態に係る筐体構造を示す平面模式図である。（ｂ）は本実施形態に係る筐体構造を示す底面模式図である。
【図５】本実施形態に係る筐体構造の詳細を示す部分断面模式図である。
【図６】本実施形態に係る筐体構造の詳細を示す部分断面模式図である。
【図７】本実施形態に係る筐体構造の動作を示す斜視模式図である。
【図８】本実施形態に係る筐体構造の詳細部の動作を示す部分断面模式図である。
【図９】本実施形態に係る筐体構造の動作を示す斜視模式図である。
【図１０】（ａ）および（ｂ）は本実施形態に係る筐体構造の動作を示す部分側面模式図である。
【発明を実施するための形態】
【０００９】
以下、本発明の実施形態に係る筐体構造１００について図面を参照して詳細に説明する。
【００１０】
図１に示すように、筐体構造１００は、ケース本体２０と、上部プレート５と、下部プレート６と、を有する。図２および図３に示すように、筐体構造１００は、その内部に無線通信機器などの屋外通信機器１を格納し、屋外通信機器１を日射や降雨などの屋外環境からの保護や、部外者による屋外通信機器１への接触を防止する機能を有する。筐体構造１００は柱（不図示）によって床に固定されている。筐体構造１００を支える柱の長さは、下部プレート６の鉛直方向の長さよりも十分大きく、本発明の効果を奏する範囲で適宜選択される。
【００１１】
ケース本体２０は、一対となる２枚の側板１２と、背板１３と、天板１４と、底板２１（図３参照）と、からなる。図２および図３に示すように、ケース本体２０は、一対の側板１２、背板１３、天板１４、底板２１のいずれにもカバーされていない面（前面）に開口面を有する。側板１２、背板１３、天板１４、底板２１それぞれの材料としては、たとえばアルミニウム合金などが用いられる。側板１２、背板１３、天板１４、底板２１のそれぞれの接合方法としては、たとえば、溶接やリベット接合などが用いられる。
【００１２】
筐体構造１００の分解斜視図である図３に示すように、一対の側板１２それぞれの主面側（ケース本体２０の側面を構成する面）の上部に、ケース本体２０の開口面近傍から奥行き方向へと延びる水平ガイド溝１６が水平方向に設けられている。ケース本体２０において側板１２は一対となっているので、ケース本体２０において水平ガイド溝１６は平行一対となっている。また、一対の側板１２それぞれの主面側の下部プレート６と接する側（ケース本体２０の開口面に近い側）には、側板１２の高さ方向の略中間部から鉛直下向きへ延びる垂直ガイド溝１７が設けられている。ケース本体２０において側板１２は一対となっているので、ケース本体において垂直ガイド溝１７は平行一対となっている。水平ガイド溝１６は、後述する上部プレート５に設けられたスライドピン８ａ（第１のスライドピン）と緩く嵌合される（緩嵌される）。後述する上部プレート５に設けられたストッパー７ａは水平ガイド溝１６と挿脱可能である。すなわち、ストッパー７ａを水平ガイド溝１６に挿入して固定することと、水平ガイド溝１６からはずすことの両方が可能である。垂直ガイド溝１７は後述する下部プレート６に設けられたスライドピン８ｂ（第２のスライドピン）と緩く嵌合される（緩嵌される）。
【００１３】
一対の側板１２それぞれの主面側（ケース本体２０の側面を構成する面。すなわち、下部プレート６の側面と接する側）の下部に孔２２（第１の孔）が設けられており、一対の側板１２それぞれの主面側の略中間部に孔１９（第２の孔）が設けられている。孔２２には、下部プレート６の後述するストッパー７ｂのシャフト９が挿脱可能である。すなわち、ストッパー７ｂを孔２２に挿入して固定することと、孔２２からはずすことの両方が可能である。孔１９には上部プレート５の後述するストッパー７ａのシャフト９が挿脱可能である。すなわち、ストッパー７ａを孔１９に挿入して固定することと、孔１９からはずすことの両方が可能である。孔１９の高さ方向の位置は垂直ガイド溝１７の上端の高さ方向の位置よりも上にあり、孔２２の高さ方向の位置は垂直ガイド溝１７の下端の高さ方向の位置よりも下にある（図３）。また、孔１９は垂直ガイド溝１７の上端の略延長線上にあり、孔２２は垂直ガイド溝１７の下端の略延長線上にある（図３）。
【００１４】
上部プレート５および下部プレート６は、屋外通信機器１が格納されている際の筐体構造１００の正面扉としての機能を有する。上部プレート５および下部プレート６はケース本体２０の開口面に設けられている。すなわち、ケース本体２０のうち、一対の側板１２、背板１３、天板１４、底板２１のいずれにもカバーされていない面に、上部プレート５および下部プレート６は設けられている。上部プレート５および下部プレート６は、たとえばアルミニウム合金から構成される。上部プレート５および下部プレート６は折り曲げられて、主面（ケース本体２０の開口面と平行な面）と一対の側面（ケース本体２０の側面と平行な面）とを有している。図４（ａ）に示すように上部プレート５の形状は筐体構造１００を上から見たときにＵ字であり、図４（ｂ）に示すように下部プレート６の形状は筐体構造１００を下から見たときにＵ字である。
【００１５】
上部プレート５は、一対の両側面に、ストッパー７ａ（第２のストッパー）と、スライドピン８ａ（第１のスライドピン）とをそれぞれ有する（図３）。すなわち、上部プレート５は、２つのストッパー７ａと、２つのスライドピン８ａとを有する。２つのストッパー７ａの高さ方向の位置は略同じである。また、２つのスライドピン８ａの高さ方向の位置は略同じである。ストッパー７ａがケース本体２０の一対の側板１２それぞれの孔１９に挿入されて固定され、スライドピン８ａがケース本体２０の一対の側板１２それぞれの水平ガイド溝１６と緩く嵌合されることで、上部プレート５がケース本体２０に取り付けられる（図１および図２）。また、ストッパー７ａのシャフト９の直径の長さは水平ガイド溝１６の鉛直高さ方向の長さよりも小さいので、図５を参照して後述されるストッパー７ａと孔１９との挿脱の機構と同様に、シャフト９を水平ガイド溝１６に挿入することと、水平ガイド溝１６から抜いてはずすことの両方が可能であり、ストッパー７ａは水平ガイド溝１６に挿脱可能である。ストッパー７ａが上部プレート５の側面に設けられているため、屋外通信機器１を格納している際（図１に示す状態）にはストッパー７ａが孔１９に挿入されて固定され、屋外通信機器１をメンテナンスする際（図２に示す状態）にはストッパー７ａが水平ガイド溝１６に挿入されて固定されるため、上部プレート５をより安定的に固定することができる。そのため、屋外通信機器１を保護する機能が一層向上し、併せて、屋外通信機器１をメンテナンスする際に上部プレート５がより安定して固定されるためメンテナンス作業の作業効率が一層向上する。
【００１６】
スライドピン８ａと水平ガイド溝１６とはスライド可能なように緩く嵌合されているため、ストッパー７ａを水平方向に引っ張り、孔１９から外すと、スライドピン８ａは水平ガイド溝１６に沿って水平方向に移動可能となる。スライドピン８ａが水平ガイド溝１６に沿って水平方向にスライド移動可能であることによって、図２に示すように、通常時にはケース本体２０の正面扉としての機能を有する上部プレート５を、屋外通信機器１のメンテナンス時には天板１４と平行となる位置にスライド移動させることが可能となる。
【００１７】
下部プレート６は、一対の両側面に、ストッパー７ｂ（第１のストッパー）と、スライドピン８ｂ（第２のスライドピン）とをそれぞれ有する（図３）。すなわち、下部プレート６は、２つのストッパー７ｂと、２つのスライドピン８ｂとを有する。２つのストッパー７ｂの高さ方向の位置は略同じである。また、２つのスライドピン８ｂの高さ方向の位置は略同じである。ストッパー７ｂがケース本体２０の一対の側板１２それぞれの孔２２に挿入されて固定され、スライドピン８ｂがケース本体２０の一対の側板１２それぞれの垂直ガイド溝１７と緩く嵌合されることで、下部プレート６がケース本体２０に取り付けられる（図１および図２）。
【００１８】
スライドピン８ｂと垂直ガイド溝１７とはスライド可能なように緩く嵌合されているため、ストッパー７ｂを水平方向に引っ張り、孔２２から外すと、スライドピン８ｂは垂直ガイド溝１７に沿って鉛直上下方向にスライド移動可能となる。スライドピン８ｂが垂直ガイド溝１７に沿って鉛直上下方向にスライド移動可能であることによって、図２に示すように、通常時にはケース本体２０の正面扉としての機能を有する下部プレート６を、屋外通信機器１のメンテナンス時には鉛直上下方向にスライド移動させることが可能となる。
【００１９】
以下、図５を用いて、ストッパー７ａと孔１９との固定の機構を詳細に説明する。
【００２０】
ストッパー７ａは、シャフト９と、スプリング１０と、つまみ１１と、シャフト基部１５と、から構成される。シャフト９、つまみ１１、シャフト基部１５それぞれの材料としては、たとえばアルミニウム合金等が用いられる。スプリング１０の材料としては、たとえば、ばね鋼などが用いられる。
【００２１】
シャフト基部１５と上部プレート５との接合方法としては、たとえば溶接やリベットなどが用いられる。シャフト９はつまみ１１に嵌合され、たとえば、嵌合部が溶接されることで固定される。
【００２２】
図５に示すように、ストッパー７ａはシャフト９に巻き付けられるように設けられたスプリング１０を備えている。ストッパー７ａは、シャフト９が孔１９に挿入され、スプリング１０の反発力によってシャフト９が図５の左方向へ向けて押しつけられることによって、シャフト９が上部プレート５および側板１２の内側に突出した状態で固定されている。ストッパー７ａによって上部プレート５が側板１２に固定されることで、上部プレート５はケース本体２０に固定される。
【００２３】
ストッパー７ｂと孔２２との固定の機構は、上述したストッパー７ａと孔１９との固定の機構と同様であり、ストッパー７ｂによって下部プレート６はケース本体２０に固定される。
【００２４】
以下、図６を用いて、スライドピン８ａと水平ガイド溝１６とがスライド可能なように緩く嵌合されている状態を詳細に説明する。
【００２５】
スライドピン８ａは頭部２３と基部２４とから構成され、それぞれの材料としてはたとえばアルミニウム合金等が用いられる。頭部２３は一体形成された頂部とシャフト部とから構成される。頭部２３および基部２４の形状は筐体構造１００を側面から見た場合、たとえば略円形状となっている。
【００２６】
図６に示すように、頭部２３のシャフト部は水平ガイド溝１６を貫通し、基部２４と接合される。接合方法としては、たとえば、溶接や、頭部２３を雄ボタン、基部２４を雌ボタンとしたボタンにする方法等が用いられる。
【００２７】
水平ガイド溝１６の幅は、頭部２３のシャフト部の直径よりも大きく、頭部２３の頂部の直径および基部２４の直径よりも小さい。そのため、スライドピン８ａは水平ガイド溝１６に沿って水平方向にスライド可能であり、なおかつ、水平ガイド溝１６から脱落することなく緩く嵌合されている。
【００２８】
スライドピン８ｂと垂直ガイド溝１７とのスライド可能な緩い嵌合状態は、上述したスライドピン８ａと垂直ガイド溝１７とのスライド可能な緩い嵌合状態と同様であり、スライドピン８ｂは垂直ガイド溝１７に沿って鉛直上下方向にスライド可能であり、なおかつ、垂直ガイド溝１７から脱落することなく緩く嵌合されている。
【００２９】
以下、図７〜図１０を用いて、筐体構造１００の上部プレート５および下部プレート６の動作を説明する。図１０（ａ）および図１０（ｂ）は、上部プレート５の動作の詳細を説明するための部分側面模式図であり、上部プレート５の動作に関連しない筐体構造１００の構成に関する記載は省略されている。
【００３０】
図７および図８に示すように、上部プレート５の左右側面にあるストッパー７ａのつまみ１１を左右外側（矢印Ａ１ａおよび矢印Ａ１ｂの方向）に引っ張る。図８は、筐体構造１００を正面から見て右側のストッパー７ａの動作を説明する部分断面模式図である。そのため、図８においては、つまみ１１を引っ張る方向は図７における右方向（矢印Ａ１ａの方向）となっている。筐体構造１００を正面から見て左側のストッパー７ａの動作については、左右方向が反対になるだけで、以下に示す動作と同様である。
【００３１】
図８に示すように、つまみ１１を矢印Ａ１ａの方向に引っ張ることで、つまみ１１に接合されているシャフト９が矢印Ａ１ａの方向に引っ張られる。スプリング１０を圧縮するために十分であり、つまみ１１、スプリング１０等を破壊しない程度に、つまみ１１を引っ張る。つまみ１１が引っ張られる前には、ストッパー７ａのシャフト９が孔１９に挿入され、ストッパー７ａのスプリング１０によって固定されていたストッパー７ａと側板１２とが、図８に示すように、シャフト９の先端部を側板１２に設けられた孔１９から抜いてはずすことによって固定の状態が解除され、ストッパー７ａによる上部プレート５のロックが外れる。
【００３２】
次に、矢印Ａ２の方向に上部プレート５を手前に引き（図７）、スライドピン８ａを回転軸として、上部プレート５を矢印Ａ３の方向に回転させ、上部プレート５を天板１４と略平行の位置になるまで持ち上げる（図１０（ａ））。
【００３３】
ついで、上部プレート５を側板１２に設けられた水平ガイド溝１６に沿ってスライドピン８ａをスライドさせることによって、上部プレート５をケース本体２０の背面側（矢印Ａ４の方向）に向けて押し込む（図９、図１０（ｂ））。
【００３４】
次に、図５に参照する孔１９への固定と同様に、ストッパー７ａのシャフト９を水平ガイド溝１６の一端（ケース本体２０の開口面近傍側）に合わせて挿入し、スプリング１０を用いて上部プレート５をケース本体２０に固定する。
【００３５】
次に、下部プレート６を下方に移動させるため、下部プレート６の左右側面にあるストッパー７ｂのつまみ１１を左右外側（矢印Ａ１ａおよび矢印Ａ１ｂの方向）に引っ張る。上述した上部プレート５の動作と同様、図８に示すように、シャフト９の先端部を側板１２に設けられた孔２２から抜いてはずすことによって、下部プレート６と孔２２との固定状態が解除され、ストッパー７ｂによるロックが外れる。
【００３６】
最後に、側板１２に設けられた垂直ガイド溝１７に沿って矢印Ａ５の方向にスライドピン８ｂをスライドさせることによって、下部プレート６を鉛直下方向にスライドさせて、屋外通信機器１をメンテナンス可能な状態にする。（図９）。
【００３７】
以上に説明したように、筐体構造１００の正面扉が上部プレート５と下部プレート６とに２分割されている。そのため、屋外通信機器１のメンテナンス時には、上部プレート５を水平奥行き方向にスライドさせて天板１４の上部に沿うように固定し、下部プレート６を鉛直下方向にスライドさせることができる。それゆえ、正面扉が一体の扉となっていて横開きしていた従来の筐体構造と比較して、筐体構造１００の前方に必要とされる、正面扉を開けるためのスペースを、小さくすることができる。したがって、屋外通信機器１を日照や降雨などの外部環境から保護することを可能としつつ、従来の筐体構造に格納された屋外通信機器を設置する際よりも小さなスペースに屋外通信機器１およびそれを格納する筐体構造１００を設置することができる。また、屋外通信機器１のメンテナンスの際、従来の筐体構造に格納された屋外通信機器をメンテナンスする際よりも、小さなスペースでメンテナンスを行うことが可能となる。
【００３８】
以上、本発明の実施形態について説明したが、本発明の広義の精神と範囲を逸脱することなく、様々な実施形態及び変形が可能とされるものである。上述した実施形態は、本発明を説明するためのものであり、本発明の範囲を限定するものではない。
【００３９】
たとえば、本実施形態においては、ストッパー７ａが上部プレート５に設けられた形態について説明したが、ストッパー７ａが上部プレート５に設けられていなくてもよい。
【００４０】
また、本実施形態においては、無線通信機器等の屋外通信機器１が筐体構造１００に格納される形態について説明したが、無線通信機器以外の屋外通信機器１であってもよいし、本発明の効果を奏する範囲で屋外通信機器を格納する筐体構造以外に筐体構造１００を応用してもよく、下記に限定されないが、たとえば、食器洗浄機の筐体、テレビケース等に利用してもよい。
【００４１】
上記の実施形態の一部および全部は、以下の付記のようにも記載されうるが、以下には限られない。
【００４２】
（付記１）
一対の側板と、背板と、天板と、底板と、を備え、開口面を有するケース本体と、
前記ケース本体の開口面側に設けられた上部プレートと下部プレートと、
を備え、
一対の前記側板の主面側上部に、前記開口面近傍から奥行き方向へと延びる平行一対の水平ガイド溝が設けられ、
一対の前記側板の主面側に、前記側板の高さ方向の略中間部から鉛直下向きへ延びる平行一対の垂直ガイド溝が設けられ、
一対の前記側板の主面側下部に第１の孔が設けられ、
前記上部プレートの断面形状はＵ字であり、前記上部プレートの一対の側面の上部に第１のスライドピンが設けられ、
前記下部プレートの断面形状はＵ字であり、前記下部プレートの一対の側面の上部に第２のスライドピンが設けられ、前記下部プレートの前記一対の側面の下部に第１のストッパーが設けられ、
前記第１のスライドピンと前記水平ガイド溝とがスライド可能なように緩嵌され、  
前記第２のスライドピンと前記垂直ガイド溝とがスライド可能なように緩嵌され、
前記第１のストッパーは前記第１の孔に挿脱可能である、
ことを特徴とする筐体構造。
【００４３】
（付記２）
一対の前記側板の主面側の略中間部に第２の孔がさらに設けられ、
前記上部プレートの前記一対の側面の下部に第２のストッパーがさらに設けられ、
前記第２のストッパーが前記第２の孔に挿脱可能であり、
前記第２のストッパーが前記水平ガイド溝に挿脱可能である、
ことを特徴とする付記１に記載の筐体構造。
【００４４】
（付記３）
屋外通信機器を格納することを特徴とする付記１または２に記載の筐体構造。
【符号の説明】
【００４５】
１        屋外通信機器
５        上部プレート
６        下部プレート
７ａ      ストッパー
７ｂ      ストッパー
８ａ      スライドピン
８ｂ      スライドピン
９        シャフト
１０      スプリング
１１      つまみ
１２      側板
１３      背板
１４      天板
１５      シャフト基部
１６      水平ガイド溝
１７      垂直ガイド溝
１９      孔
２０      ケース本体
２１      底板
２２      孔
２３      頭部
２４      基部
１００    筐体構造
【図１】
2012243834.tif 000003
【図２】
2012243834.tif 000004
【図３】
2012243834.tif 000005
【図４】
2012243834.tif 000006
【図５】
2012243834.tif 000007
【図６】
2012243834.tif 000008
【図７】
2012243834.tif 000009
【図８】
2012243834.tif 000010
【図９】
2012243834.tif 000011
【図１０】
2012243834.tif 000012